(57)【要約】      （修正有）【課題】固定座の上部の内周に収容空間が凹設され、収容空間中に弾性手段が嵌設されて押圧手段を弾性回復させるのに供され、押し棒に回復時に真空吸引作用を形成させ、乳液の吸い取り定量標準を増し、且つ内容物に弾性手段を通過させず、化学変化の発生を防止した乳液容器用ポンプヘッドの提供。【解決手段】固定座２０は乳液容器９０の口部９１に螺合され、固定座２０の中心に貫通する軸孔２１が設けられ、固定座２０上部内周部分に収容空間２２が凹設されて弾性手段４０の挿嵌に供され、軸孔の上部に押圧手段３０の吸管３１が挿嵌され、軸孔２１底部に管体５０が挿嵌され、押圧手段３０の吸管３１部分に対応するよう径方向に連通するノズル３２が設けられ、押圧手段３０の吸管３１中に押し棒６０が挿嵌され、押し棒６０と管体５０の間に軸スリーブ８０が設けられ、押し棒６０が管体５０中で活動可能とされる。【選択図】図５
0003107128.tif 000002
【実用新案登録請求の範囲】
【請求項１】
乳液容器用ポンプヘッドの固定座が乳液容器に螺合され、該固定座の中心に貫通する軸孔が設けられ、該軸孔の上部に押圧手段の吸管が挿嵌され、該軸孔の底部に管体が挿嵌され、該押圧手段の吸管に押し棒が挿嵌され、該押し棒と管体の間に軸スリーブが設けられ、該押し棒の底端のプッシュヘッドが管体中で活動可能とされ、該管体底端に収縮する吸口が設けられ、該吸口中にビーズが設けられた乳液容器用ポンプヘッドにおいて、
該固定座の上部の内周部分に収容空間が凹設され、該収容空間中に該押圧手段を弾性回復させるための大きな弾性部品が挿嵌され、該押し棒のプッシュヘッドが回復時に大きな真空吸引作用を有し、定量の吸い取り標準を達成し、且つ内容物が弾性手段と化学変化を発生しないものとされたことを特徴とする、乳液容器用ポンプヘッド。
【請求項２】
請求項１記載の乳液容器用ポンプヘッドにおいて、押し棒の底部にプッシュヘッドが設けられ、該プッシュヘッドの上部は中空管体とされ、該中空管体のプッシュヘッドに近い部分に貫通する径方向孔が設けられ、乳液が径方向孔より中空管体内に導入され、更に中空管体より吸管に導入され、ノズルより押し出されることを特徴とする、乳液容器用ポンプヘッド。
【請求項３】
乳液容器用ポンプヘッドの固定座が乳液容器に螺合され、該固定座の中心に貫通する軸孔が設けられ、該軸孔の上部に押圧手段の吸管が挿嵌され、該軸孔の底部に管体が挿嵌され、該押圧手段の吸管に押し棒が挿嵌され、該押し棒と管体の間に軸スリーブが設けられ、該押し棒の底端のプッシュヘッドが管体中で活動可能とされ、該管体底端に収縮する吸口が設けられ、該吸口中に軸棒が設けられ、及び乳液容器底部まで延伸される吸管が挿入された乳液容器用ポンプヘッドにおいて、
該固定座の上部の内周部分に収容空間が凹設され、該収容空間中に該押圧手段を弾性回復させるための大きな弾性部品が挿嵌され、該押し棒のプッシュヘッドが回復時に大きな真空吸引作用を有し、定量の吸い取り標準を達成し、且つ内容物が弾性手段と化学変化を発生しないものとされたことを特徴とする、乳液容器用ポンプヘッド。
【請求項４】
請求項３記載の乳液容器用ポンプヘッドにおいて、押圧手段の吸管内周及び軸棒外周に等分配置された複数の導流片が設けられ、乳液が導流片より吸管に導入され、更にノズルより押し出されることを特徴とする、乳液容器用ポンプヘッド。
【考案の詳細な説明】
【技術分野】
【０００１】
本考案は一種の乳液容器用ポンプヘッドに係り、特に、乳液容器に螺合される固定座を具え、該固定座の中心に貫通する軸孔が設けられ、該軸孔上部に押圧手段の吸管が挿嵌され、該軸孔底部に管体が挿嵌され、該押圧手段の吸管に押し棒が挿嵌され、該押し棒と管体の間に軸スリーブが設けられ、該押し棒の底端のプッシュヘッドが管体中で活動可能とされ、該管体底端に収縮する吸口が設けられ、該吸口中にビーズ或いは軸棒が設けられ、容器底部まで延伸される延伸管が挿嵌された乳液容器用ポンプヘッドにおいて、該固定座の上部の内周に収容空間が凹設され、該収容空間中に弾性手段が嵌設されて押圧手段を弾性回復させるのに供され、押し棒に回復時に比較的大きな真空吸引作用を形成させ、乳液の吸い取り定量標準を増し、且つ内容物に弾性手段を通過させず、化学変化の発生を防止できることを特徴とする、乳液容器用ポンプヘッドに関する。
【背景技術】
【０００２】
周知の乳液容器用ポンプヘッドは、図１の立体分解図及び図２の断面組合せ図に示されるようであり、それは、乳液容器１０の上部の口部に固定座１１が螺合され、該固定座１１の中心に貫通する軸孔１１１が設けられ、該軸孔１１１上部に押圧手段１２の吸管１２１が挿嵌され、該軸孔１１１底部に管体１３が挿嵌され、該押圧手段１２にあって吸管１２１に対応するよう径方向に連通するノズル１２２が設けられ、該押圧手段１２の吸管１２１中に押し棒１４が挿嵌され、該押し棒１４と管体１３の間に軸スリーブ１５が設けられ、該押し棒１４が管体１３中で活動可能とされ、該管体１３の底端に収縮する吸口１３１が設けられ、該吸口１３１中にビーズ１６が設けられ、該押し棒１４の底部に位置決め柱１４１及び位置決め溝１４２が設けられて弾性手段１７の嵌合に供され、該押し棒１４の上部に複数の軸方向の溝１４３が設けられている。使用者が押圧手段１２を押圧すると、押圧手段１２の下降に連動して押し棒１４と弾性手段１７が下向きに動作し、このとき、管体１３内部の乳液が、押圧を受けて押し棒１４の軸方向の溝１４３に沿って吸管１２１中に進入し、更にノズル１２２より押し出される。使用者が押圧手段１２を開放すると、弾性手段１７の上向きの弾性回復作用により、押し棒１４が駆動されて管体１３内部で真空吸引作用を発生し、このときビーズ１６が吸口１３１を開放して乳液を管体１３中に吸入する。
【０００３】
上述の周知の乳液容器用ポンプヘッドは、図３の使用状態図に示されるように、実際の応用使用上、弾性手段１７のサイズが必ず管体１３内部に収容可能なものとされ、ゆえに余り大きく設ける事ができず、このため弾性手段１７が上向きに押し棒１４を弾性回復させる時、管体１３内部に発生する真空吸引作用が比較的小さく、乳液の管体１３内への吸入量が少なくなり、標準の定量吸い取り量を達成できず、且つ内容物が弾性手段を通過するために化学変化を発生しやすい。このように周知の乳液容器用ポンプヘッドは改善すべき問題と欠点を有している。
【考案の開示】
【考案が解決しようとする課題】
【０００４】
本考案は従来の技術の問題及び欠点を解決するために提供されるものであり、それは、比較的大きな弾性手段を固定座上部の収容空間に挿嵌し、これにより上向きに押し棒を弾性回復させる作用力を増し、押し棒のプッシュヘッドが管体内部で作動する時に、比較的大きな真空吸引作用を形成させるようにし、乳液吸い取りの定量標準を達成し、且つ内容物に弾性手段を通過させず、化学変化の発生を防止できるようにすることを目的としている。
【課題を解決するための手段】
【０００５】
請求項１の考案は、乳液容器用ポンプヘッドの固定座が乳液容器に螺合され、該固定座の中心に貫通する軸孔が設けられ、該軸孔の上部に押圧手段の吸管が挿嵌され、該軸孔の底部に管体が挿嵌され、該押圧手段の吸管に押し棒が挿嵌され、該押し棒と管体の間に軸スリーブが設けられ、該押し棒の底端のプッシュヘッドが管体中で活動可能とされ、該管体底端に収縮する吸口が設けられ、該吸口中にビーズが設けられた乳液容器用ポンプヘッドにおいて、
該固定座の上部の内周部分に収容空間が凹設され、該収容空間中に該押圧手段を弾性回復させるための大きな弾性部品が挿嵌され、該押し棒のプッシュヘッドが回復時に大きな真空吸引作用を有し、定量の吸い取り標準を達成し、且つ内容物が弾性手段と化学変化を発生しないものとされたことを特徴とする、乳液容器用ポンプヘッドとしている。
請求項２の考案は、請求項１記載の乳液容器用ポンプヘッドにおいて、押し棒の底部にプッシュヘッドが設けられ、該プッシュヘッドの上部は中空管体とされ、該中空管体のプッシュヘッドに近い部分に貫通する径方向孔が設けられ、乳液が径方向孔より中空管体内に導入され、更に中空管体より吸管に導入され、ノズルより押し出されることを特徴とする、乳液容器用ポンプヘッドとしている。
請求項３の考案は、乳液容器用ポンプヘッドの固定座が乳液容器に螺合され、該固定座の中心に貫通する軸孔が設けられ、該軸孔の上部に押圧手段の吸管が挿嵌され、該軸孔の底部に管体が挿嵌され、該押圧手段の吸管に押し棒が挿嵌され、該押し棒と管体の間に軸スリーブが設けられ、該押し棒の底端のプッシュヘッドが管体中で活動可能とされ、該管体底端に収縮する吸口が設けられ、該吸口中に軸棒が設けられ、及び乳液容器底部まで延伸される吸管が挿入された乳液容器用ポンプヘッドにおいて、
該固定座の上部の内周部分に収容空間が凹設され、該収容空間中に該押圧手段を弾性回復させるための大きな弾性部品が挿嵌され、該押し棒のプッシュヘッドが回復時に大きな真空吸引作用を有し、定量の吸い取り標準を達成し、且つ内容物が弾性手段と化学変化を発生しないものとされたことを特徴とする、乳液容器用ポンプヘッドとしている。
請求項４の考案は、請求項３記載の乳液容器用ポンプヘッドにおいて、押圧手段の吸管内周及び軸棒外周に等分配置された複数の導流片が設けられ、乳液が導流片より吸管に導入され、更にノズルより押し出されることを特徴とする、乳液容器用ポンプヘッドとしている。
【考案の効果】
【０００６】
本考案は従来の技術の問題及び欠点を解決し、それは、比較的大きな弾性手段を固定座上部の収容空間に挿嵌し、これにより上向きに押し棒を弾性回復させる作用力を増し、押し棒のプッシュヘッドが管体内部で作動する時に、比較的大きな真空吸引作用を形成させるようにし、乳液吸い取りの定量標準を達成し、且つ内容物に弾性手段を通過させず、化学変化の発生を防止できるようにしている。
【考案を実施するための最良の形態】
【０００７】
図４、５は本考案の実施例１の立体組合せ図及び立体分解図である。本考案は、固定座２０、押圧手段３０、弾性手段４０、管体５０、押し棒６０、ビーズ７０、軸スリーブ８０、乳液容器９０が組み合わされてなる。そのうち、該固定座２０は乳液容器９０の口部９１に螺合され、該固定座２０の中心に貫通する軸孔２１が設けられ、該固定座２０上部内周部分に収容空間２２が凹設されて弾性手段４０の挿嵌に供され、該軸孔の上部に押圧手段３０の吸管３１が挿嵌され、該軸孔２１底部に管体５０が挿嵌され、該押圧手段３０の吸管３１部分に対応するよう径方向に連通するノズル３２が設けられ、該押圧手段３０の吸管３１中に押し棒６０が挿嵌され、該押し棒６０と管体５０の間に軸スリーブ８０が設けられ、該押し棒６０が管体５０中で活動可能とされ、該管体５０の底端に収縮する吸口５２が設けられ、該吸口５２中にビーズ７０が設けられ、該押し棒６０の底部にプッシュヘッド６１が設けられ、該押し棒６０の上部は中空管体６２とされ、該中空管体６２のプッシュヘッド６１に近い部分に貫通する径方向孔６３が設けられている。
【０００８】
上述の各部品が組み合わされてなる本考案は一種の乳液容器用ポンプヘッドを提供するものであり、その実際の操作応用については以下に説明する。
【０００９】
図７は本考案の押圧実施時の使用状態表示図である。使用者が押圧手段３０を押圧する時、それに押し棒６０と弾性手段４０が連動されて下向きに動作し、この時、管体５０内部の乳液が押圧を受けて押し棒６０の径方向孔６３に沿って中空管体６２中に送り込まれ、さらに吸管３１を通りノズル３２より押し出される。
【００１０】
図８は本考案の開放実施時の使用状態図である。使用者が押圧手段３０を開放する時、弾性手段４０の上向きの弾性回復作用に押圧手段３０のプッシュヘッド６１が連動して管体５０内部で真空吸引作用を発生し、この時、ビーズ７０が吸口５２を開放して乳液を管体５０中に吸入する。
【００１１】
図９、１０は本考案の実施例２の立体組合せ図及び立体分解図である。図１１は本考案の実施例２の断面組合せ図である。その構造は、固定座２０’、押圧手段３０’、弾性手段４０’、管体５０’、押し棒６０’、ビーズ７０’、軸スリーブ８０’、乳液容器９０’が組み合わされてなる。そのうち、該固定座２０’は乳液容器９０’の口部９１’に螺合され、該固定座２０’の中心に貫通する軸孔２１’が設けられ、該固定座２０’の上部内周部分に収容空間２２’が凹設されて弾性手段４０’の挿嵌に供され、該軸孔２１’の上部に押圧手段３０’の吸管３１’が挿嵌され、該吸管３１’底部外周に位置決めフランジ３２’が設けられて軸孔２１’内での位置決め、脱出防止に供され、該軸孔２１’底部に管体５０’が挿嵌され、該押圧手段３０’の吸管３１’部分に対応するよう径方向に連通するノズル３３’が設けられ、該押圧手段３０’の吸管３１’中に押し棒６０’が挿嵌され、該押し棒６０’と管体５０’の間に軸スリーブ８０’が設けられ、該管体５０’と軸スリーブ８０’の間に相互に係合する位置決めフランジ５１’と位置決め凹溝８１’が設けられ、該管体５０’の底端に収縮する吸口５２’が設けられ、該吸口５２’中に軸棒７０’が設けられ、該軸棒７０’の底部に複数の等分配置された導流片７１’が設けられ、該押し棒６０’底部にプッシュヘッド６１’が設けられ、該押し棒６０’は中空管体６２’とされ、該中空管体６２’は軸棒７０’中に挿嵌されて、該押し棒６０’が管体５０’中で活動可能とされ、該管体５０’の外壁に貫通する通気孔５３’が設けられ、該管体５０’の底部の吸口５２’中に乳液容器９０’底部まで延伸される延伸管５４’が挿入されている。
【００１２】
以上の各部品が組み合わされてなる本考案は、乳液容器用ポンプヘッドであり、実際の操作応用については以下のようである。
【００１３】
図１２は本考案の実施例２の押圧時の使用状態表示図である。使用者が押圧手段３０’を押圧する時、それに押し棒６０’と弾性手段４０’が連動されて下向きに動作し、この時、管体５０’内部の乳液が押圧を受けて吸管３１’の導流片３４’に沿って導入され、更にノズル３３’より押し出される。
【００１４】
図１３は本考案の開放実施時の使用状態図である。使用者が押圧手段３０’を開放する時、弾性手段４０’の上向きの弾性回復作用に押圧手段３０’のプッシュヘッド６１’が管体５０’内部で真空吸引作用を発生し、この時、延伸管５３’が管体５０’中に乳液を吸入する。
【００１５】
総合すると、本考案は一種の乳液容器用ポンプヘッドを提供し、本考案者が実際に製造完成し反復して操作試験を行なったところ、確実に本考案の予期された作用効果を達成することが確認された。また本考案はこれまでにない新規性を有する考案であり、産業上の利用価値を有し、実用性、進歩性を有する考案である。
【図面の簡単な説明】
【００１６】
【図１】周知の乳液容器用ポンプヘッドの立体分解図である。
【図２】周知の乳液容器用ポンプヘッドの断面組合せ図である。
【図３】周知の乳液容器用ポンプヘッドの使用状態図である。
【図４】本考案の実施例１の立体組合せ図である。
【図５】本考案の実施例１の立体分解図である。
【図６】本考案の実施例１の断面組合せ図である。
【図７】本考案の実施例１の押圧時の使用状態表示図である。
【図８】本考案の実施例１の開放時の使用状態図である。
【図９】本考案の実施例２の立体組合せ図である。
【図１０】本考案の実施例２の立体分解図である。
【図１１】本考案の実施例２の断面組合せ図である。
【図１２】本考案の実施例２の押圧時の使用状態表示図である。
【図１３】本考案の実施例２の開放時の使用状態表示図である。
【符号の説明】
【００１７】
１０  乳液容器                      １１  固定座
１１１  軸孔                        １２  押圧手段
１２１  吸管                        １２２  ノズル
１３  管体                          １３１  吸口
１４  押し棒                        １４１  位置決め柱
１４２  位置決め溝                  １４３  軸方向の溝
１５  軸スリーブ                    １６  ビーズ
１７  弾性手段
２０  固定座                        ２１  軸孔
２２  収容空間
３０  押圧手段                      ３１  吸管
３２  ノズル
４０  弾性手段
５０  管体                          ５１  位置決めフランジ
５２  吸口
６０  押し棒                        ６１  プッシュヘッド
６２  中空管体                      ６３  径方向孔
７０  ビーズ
８０  軸スリーブ                    ８１  位置決め凹溝
９０  乳液容器                      ９１  口部
２０’  固定座                      ２１’  軸孔
２２’  収容空間
３０’  押圧手段                    ３１’  吸管
３２’  位置決めフランジ            ３３’  ノズル
３４’  導流片
４０’  弾性手段
５０’  管体                        ５１’  位置決めフランジ
５２’  吸口                        ５３’  通気孔
６０’  押し棒                      ６１’  プッシュヘッド
６２’  中空管体
７０’  軸棒                        ７１’  導流片
８０’  軸スリーブ                  ８１’  位置決め凹溝
９０’  乳液容器                    ９１’  口部
【図１】
0003107128.tif 000003
【図２】
0003107128.tif 000004
【図３】
0003107128.tif 000005
【図４】
0003107128.tif 000006
【図５】
0003107128.tif 000007
【図６】
0003107128.tif 000008
【図７】
0003107128.tif 000009
【図８】
0003107128.tif 000010
【図９】
0003107128.tif 000011
【図１０】
0003107128.tif 000012
【図１１】
0003107128.tif 000013
【図１２】
0003107128.tif 000014
【図１３】
0003107128.tif 000015